(57)【要約】 【課題】  電波受信に成功しなくても時計として利用できるとともに、竜頭による時刻合わせ操作による針ずれを解消することができる電波修正時計を提供すること。【解決手段】  電波修正時計は、受信手段、指針、駆動手段、針位置記憶手段、時刻記憶手段、駆動制御手段、外部操作部材を備える。駆動制御手段３は、指針を手動で修正可能とする手動修正部３０２と、駆動手段の駆動を再開する駆動再開部３０３と、駆動手段により指針を修正可能とする電動修正部３０４と、電動修正による指針の移動量を記憶する移動量記憶部３０５と、針位置記憶手段を初期化し、前記移動量に応じて駆動手段で指針を移動させる復帰制御部３０６と、復帰制御部３０６による指針の移動後、時刻情報受信時に、針位置記憶手段の針位置情報と受信時刻情報の時間差に基づいて駆動手段を駆動して指針で表示される時刻を修正する時刻修正部３０７とを備える。【選択図】  図４
2005300192.tif 000002
【特許請求の範囲】
【請求項１】
時刻情報を含む無線情報を受信する受信手段と、指針と、前記指針を運針させる駆動手段と、この駆動手段の駆動に連動して更新されて針位置情報が記憶される針位置記憶手段と、前記受信手段で受信した時刻情報が記憶される時刻記憶手段と、前記針位置記憶手段に記憶される針位置情報および時刻記憶手段に記憶される時刻情報に基づいて前記駆動手段を駆動する駆動制御手段と、外部操作部材とを備える電波修正時計であって、
前記駆動制御手段は、
前記駆動手段の駆動を停止して前記指針を手動で修正可能とする手動修正部と、
前記駆動手段の駆動を再開する駆動再開部と、
前記駆動手段の駆動を制御して前記指針を修正可能とする電動修正部と、
電動修正部による指針の移動量を記憶する移動量記憶部と、
前記針位置記憶手段を初期化し、前記移動量記憶部に記憶された移動量に応じて駆動手段を駆動して指針を移動させる復帰制御部と、
この復帰制御部によって指針を移動させた後、前記時刻情報を受信した際に、前記針位置記憶手段の針位置情報と受信した時刻情報との時間差に基づいて前記駆動手段を駆動して指針で表示される時刻を修正する時刻修正部とを備えることを特徴とする電波修正時計。
【請求項２】
請求項１に記載の電波修正時計において、
前記駆動制御手段は、外部操作部材の操作を検出する操作検出部を備え、
前記手動修正部は、この操作検出部で外部操作部材の第１の操作を検出した際に、前記駆動手段の駆動を停止して前記指針を手動で修正可能とし、
前記駆動再開部は、前記操作検出部で外部操作部材の第２の操作を検出した際に、前記駆動手段の駆動を再開し、
前記電動修正部は、前記操作検出部で外部操作部材の第３の操作を検出した際に、前記駆動手段の駆動を制御して前記指針を修正可能とし、
前記復帰制御部は、前記操作検出部で外部操作部材の第４の操作を検出した際に、前記針位置記憶手段を初期化し、前記移動量記憶部に記憶された移動量に応じて駆動手段を駆動して指針を移動することを特徴とする電波修正時計。
【請求項３】
請求項２に記載の電波修正時計において、
前記外部操作部材の第２の操作を検出後、第３の操作を検出する前に最初に時刻情報を受信した場合に、受信した時刻情報を前記針位置記憶手段に設定する針位置情報設定手段を備えることを特徴とする電波修正時計。
【請求項４】
請求項２または請求項３に記載の電波修正時計において、
前記外部操作部材は、竜頭と、ボタンとを備えて構成され、
前記第１の操作は、竜頭を２段目まで引き出す操作であり、
前記第２の操作は、２段目にある竜頭を０段目または１段目まで押し込む操作であり、
前記第３の操作は、竜頭を１段目に移動してボタンを押す操作であり、
前記第４の操作は、第３の操作後に竜頭を０段目に移動する操作であることを特徴とする電波修正時計。
【請求項５】
請求項４に記載の電波修正時計において、
前記指針は、時針、分針、秒針を備え、
前記駆動手段は、時針および分針を駆動する時分針モータと、秒針を駆動する秒針モータとを備え、
前記ボタンは、時分針モータの駆動を操作する第１ボタンと、秒針モータの駆動を操作する第２ボタンとを備えて構成されていることを特徴とする電波修正時計。
【請求項６】
時刻情報を含む無線情報を受信する受信手段と、指針と、前記指針を運針させる駆動手段と、この駆動手段の駆動に連動して更新されて針位置情報が記憶される針位置記憶手段と、前記受信手段で受信した時刻情報が記憶される時刻記憶手段と、前記針位置記憶手段に記憶される針位置情報および時刻記憶手段に記憶される時刻情報に基づいて前記駆動手段を駆動する駆動制御手段と、外部操作部材とを備える電波修正時計の制御方法であって、
外部操作部材の第１の操作を検出すると前記駆動手段の駆動を停止して前記指針を手動で修正可能な手動修正モードに制御し、
外部操作部材の第２の操作を検出すると前記駆動手段の駆動を再開し、
外部操作部材の第３の操作を検出すると前記駆動手段の駆動を制御して前記指針を修正可能な電動修正モードに制御し、
電動修正モード時の指針の移動量を記憶し、
外部操作部材の第４の操作を検出すると前記針位置記憶手段を初期化し、前記移動量記憶部に記憶された移動量に応じて駆動手段を駆動して指針を移動させ、
指針を移動させた後、前記時刻情報を受信した際に、前記針位置記憶手段の針位置情報と受信した時刻情報との時間差に基づいて前記駆動手段を駆動して指針で表示される時刻を修正することを特徴とする電波修正時計の制御方法。
【請求項７】
時刻情報を含む無線情報を受信する受信手段と、指針と、前記指針を運針させる駆動手段と、この駆動手段の駆動に連動して更新されて針位置情報が記憶される針位置記憶手段と、前記受信手段で受信した時刻情報が記憶される時刻記憶手段と、前記針位置記憶手段に記憶される針位置情報および時刻記憶手段に記憶される時刻情報に基づいて前記駆動手段を駆動する駆動制御手段と、外部操作部材とを備える電波修正時計の制御プログラムであって、
前記駆動制御手段を、外部操作部材の操作を検出する操作検出部と、この操作検出部で外部操作部材の第１の操作を検出すると前記駆動手段の駆動を停止して前記指針を手動で修正可能とする手動修正部と、前記操作検出部で外部操作部材の第２の操作を検出すると前記駆動手段の駆動を再開する駆動再開部と、前記操作検出部で外部操作部材の第３の操作を検出すると、前記駆動手段の駆動を制御して前記指針を修正可能とする電動修正部と、電動修正部による指針の移動量を記憶する移動量記憶部と、前記操作検出部で外部操作部材の第４の操作を検出すると前記針位置記憶手段を初期化し、前記移動量記憶部に記憶された移動量に応じて駆動手段を駆動して指針を移動させる復帰制御部と、この復帰制御部によって指針を移動させた後、前記時刻情報を受信した際に、前記針位置記憶手段の針位置情報と受信した時刻情報との時間差に基づいて前記駆動手段を駆動して指針で表示される時刻を修正する時刻修正部として機能させることを特徴とする電波修正時計の制御プログラム。
【請求項８】
請求項７に記載の電波修正時計の制御プログラムを記憶したコンピュータ読み取り可能な記憶媒体。
【発明の詳細な説明】
【技術分野】
【０００１】
本発明は、電波修正時計およびその制御方法、制御プログラム、記憶媒体に関する。
【背景技術】
【０００２】
近年、時刻情報を含む電波（長波標準電波）を受信し、その時刻情報で時刻を自動的に修正して表示する電波修正時計が利用されている。特に、従来の電波修正時計は、クロック（置き時計や掛け時計）が中心であったが、近年、携帯型のウオッチ（腕時計など）にも組み込まれるようになっている。
このような指針式の電波修正時計においては、指針の位置と、その指針の位置に対応する針位置カウンタとの同期、つまり針位置の初期化（初期位置合わせ）が必要である。多くの電波修正時計は、０時０分０秒（００：００：００）に針位置を合わし、その後に受信に成功した場合、初期位置からの時分秒針の駆動ステップ数を受信した現時刻データに応じて計算して求め、その駆動ステップ数だけ時分秒針を駆動することで、正確な時刻表示を行っている。
すなわち、時分秒針が００：００：００の位置にある時に、針位置カウンタを００：００：００に初期化し、その後は、針位置カウンタ値を時分秒針の駆動に合わせて更新することで、時分秒針の位置と針位置カウンタとの同期を取る。そして、受信した時刻データの値と針位置カウンタとの差を求め、その差分だけ時分秒針を駆動することで、指針を現時刻に移動して正確な時刻表示を行っている。
【０００３】
このように針位置を初期化するものとしては、光センサや電気的接点などを用いて指針が００：００：００の位置にあることを検出して針位置を初期化するもの（例えば、特許文献１）や、りゅうず（竜頭）あるいはスイッチボタンの操作により指針を所定の時刻に合わせ、その時刻に対応するカウンタ値と受信した時刻情報とを比較して修正するもの（例えば、特許文献２）などの構成が取られている。
【０００４】
特許文献１に記載の針位置検出を実施するものは、指針を運針させるための歯車に所定の孔を設け、その孔が光センサの光路上に位置することで指針の位置を検出する構成が採られている。
しかしながら、この方法では、時計の厚さ寸法の方向で光路を設ける構成となることから、小型化が図れないとともに、例えばウオッチに使用するような小型で精巧な歯車に孔を設ける作業は極めて煩雑である。さらに、指針が所定の時刻となる状態で孔が光路上に位置する状態に組み立てなければならない。このように、製造作業性の向上や生産性の向上、コストの低減などが図れないとともに、小型化が図れないという問題がある。また、光センサを動作させる消費電力も別途必要となり、使用可能時間が短くなるおそれもある。
【０００５】
特許文献２に記載の時刻合わせの操作を実施するものは、竜頭の操作により時針、分針および秒針を所定の時刻（例えば０時０分０秒）を指示する位置に変更する。この操作により、時、分、秒の各針位置カウンタを所定の時刻に対応するカウント値に設定する。
しかしながら、この方法では、竜頭操作によって指針を所定の時刻（例えば１２時位置）に合わせて初期化処理を行った後に、電波受信処理を行って時刻情報を取得しなければ、指針を実際の時刻に修正できないという問題がある。つまり、電波受信処理に成功するまでは時計として利用することができないという問題があった。
【０００６】
【特許文献１】特開平８−１７９０５８号公報（第２頁右欄−第３頁右欄）
【特許文献２】特開平６−２５８４６１号公報（第７頁左欄−第７頁右欄：第４の実施例）
【０００７】
このような従来の電波修正時計の問題点を解決した電波修正時計を、本出願人は、既に出願している（特願２００４−１８２５８号）。この電波修正時計は、テレビの時刻等を見ながら例えば竜頭を操作して指針を現時刻に合わせ、竜頭を押し込んで運針を開始する。その後、電波受信に成功するまでは、通常のクオーツ時計と同様の精度で運針を継続できる。一方、電波を受信して時刻情報を所得した時には、その時刻情報で針位置カウンタを上書きする。この際、実際の指針は手動で現時刻に合わせてあるので、指針と針位置カウンタとが同期することになる。その後は、通常の電波修正時計と同様に、受信した時刻情報と針位置カウンタ値とを比較し、差があれば、その差分だけ指針を駆動することで正確な時刻に修正することができる。
従って、この電波修正時計によれば、センサが不要であり、かつ、指針を００：００：００の位置に移動して針位置の初期化を行う必要が無く、電波受信に成功するまでの間も通常の時計として利用が可能であるという格別の作用効果を奏することができる。
【発明の開示】
【発明が解決しようとする課題】
【０００８】
上述の特願２００４−１８２５８号に記載の電波修正時計によれば、前述した格別の作用効果を奏することができるが、さらに、精度を求める場合に次のような課題が生じる虞があった。
すなわち、時刻合わせは、一般的な時計と同様に竜頭を引き出して行うことが望ましい。これは、一般的な時計の時刻合わせ操作として、時刻を合わせる時に竜頭を引き出して回すという考え方が広く定着しており、利用者にとって違和感のない操作性を実現できるためである。
【０００９】
しかしながら、竜頭で時刻を合わせる場合には、竜頭の押し込み時の針ずれが生じる虞がある。すなわち、歯車を介して竜頭を駆動する場合、噛み合っている歯車の遊び（バックラッシュ）があるため、針ずれが生じる場合がある。
特に、指針を時計回りに動かして時刻合わせを行う正針合わせの場合、時刻合わせを行って竜頭を押し込んだ後、モータが駆動しても、前記バックラッシュが詰められるまで時間を要し、その分だけ指針の駆動が遅れ、時刻指示遅れ（針ずれ）になる場合がある。
このため、時計においては、指針を反時計回りに動かして時刻合わせを行う逆針合わせが推奨されている。逆針合わせの場合も、前記バックラッシュがあるために、竜頭押し込み時に指針が進み方向に僅かにずれる進みずれが発生する。この進みずれは、その後の運針にともない解決されるが、竜頭押し込み時に針が微妙に進み側にずれることを利用者が認識すると、時刻ずれにつながるのではないかとの懸念を生じさせる虞がある。
【００１０】
さらに、竜頭押し込み時には、その押し込み力によって指示ずれが生じることもある。竜頭を押し込む場合、比較的大きな力が必要である。このときは、竜頭を回転させないように真っ直ぐに竜頭を押し込むことが必要であるが、実際には真っ直ぐに押し込むことは難しく、竜頭に回転方向の力も加わってしまうことも多い。このため、竜頭操作で合わせた指針がずれてしまう場合があった。
これらの理由から、実際の操作において、竜頭押し込み時に針位置が現時刻に対し僅かにずれてしまう場合があった。そして、針位置カウンタは、この針ずれした位置に同期するため、電波受信を行ってもこの針ずれは解消することがない。
【００１１】
このような竜頭押し込み操作に伴う僅かな針ずれは、従来のクオーツ時計においては殆ど問題とされていなかった。しかし、電波修正時計には、電波受信に成功すれば、表示時刻は現時刻に高精度に合致し、僅かなずれも発生しないという市場イメージがあるため、利用者によってはこのような針ずれも問題視する可能性がある。
【００１２】
また、前述した電波修正時計では、利用者が現時刻に指針を合わせる必要があるが、この針合わせ時に、テレビや電話の時報等の正確な時刻情報が無く、例えば、時刻がずれている時計を参照して現時刻合わせを行ってしまった場合にも、針位置カウンタは、この時刻がずれた位置に同期するため、電波受信を行ってもこの位置ずれは解消することがない。
電波修正時計は、このように初期時刻合わせ操作で間違った時刻に合わせてしまっても、電波受信に成功すれば、その後自動的に正確な時刻表示を行うようになることを期待されることがあるため、電波受信しても位置ずれが解消しないと、利用者によっては問題視する可能性がある。
【００１３】
本発明の目的は、このような問題点に鑑みて、電波受信に成功しなくても時計として利用できるとともに、竜頭による時刻合わせ操作による針ずれを解消することができる電波修正時計、その制御方法、その制御プログラムおよび記録媒体を提供することにある。
【課題を解決するための手段】
【００１４】
本発明の電波修正時計は、時刻情報を含む無線情報を受信する受信手段と、指針と、前記指針を運針させる駆動手段と、この駆動手段の駆動に連動して更新されて針位置情報が記憶される針位置記憶手段と、前記受信手段で受信した時刻情報が記憶される時刻記憶手段と、前記針位置記憶手段に記憶される針位置情報および時刻記憶手段に記憶される時刻情報に基づいて前記駆動手段を駆動する駆動制御手段と、外部操作部材とを備える電波修正時計であって、前記駆動制御手段は、前記駆動手段の駆動を停止して前記指針を手動で修正可能とする手動修正部と、前記駆動手段の駆動を再開する駆動再開部と、前記駆動手段の駆動を制御して前記指針を修正可能とする電動修正部と、電動修正部による指針の移動量を記憶する移動量記憶部と、前記針位置記憶手段を初期化し、前記移動量記憶部に記憶された移動量に応じて駆動手段を駆動して指針を移動させる復帰制御部と、この復帰制御部によって指針を移動させた後、前記時刻情報を受信した際に、前記針位置記憶手段の針位置情報と受信した時刻情報との時間差に基づいて前記駆動手段を駆動して指針で表示される時刻を修正する時刻修正部とを備えることを特徴とする。
【００１５】
このような本発明では、手動修正部を備えているので、指針の手動修正操作を行うことができる。このため、利用者は、従来のアナログ時計と同様の操作で指針の現時刻合わせを行うことができる。また、駆動再開部を備えているので、手動修正部によって指針を修正した後に運針を再開できるので、時刻情報を受信しなくても、通常のクオーツ時計と同様に即座に利用できる。
【００１６】
また、電動修正部を備えているので、仮に、竜頭等の外部操作部材の押し込み操作などで竜頭に回転方向の力が加わって指針がずれてしまった場合でも、電動修正部で指針を移動できるので、指針を所定の位置、例えば、０時０分０秒の位置に正確に移動できる。そして、この際の指針の移動量を移動量記憶部に記憶しているので、復帰制御部により、針位置記憶手段を初期化して指針の位置と針位置記憶手段のデータとを同期化した後、指針を元の位置に戻すことができる。従って、針位置記憶手段を初期化した後、即座に電波を受信できなくても、時計の指針を現時刻表示に戻して利用することができる。その上、指針を所定の位置に移動する操作は、モータ等の駆動手段を介して行われるので、竜頭を押し込む場合のように竜頭が回転して針ずれを起こすこともなく、正確な位置に指針を移動できる。従って、針位置記憶手段を初期化した際に、指針の位置と針位置記憶手段の針位置情報とを正確に同期させることができ、その後、標準電波等の時刻情報を含む無線情報を受信した際にも、指針を正確な時刻に修正できる。
【００１７】
この際、前記駆動制御手段は、外部操作部材の操作を検出する操作検出部を備え、前記手動修正部は、この操作検出部で外部操作部材の第１の操作を検出した際に、前記駆動手段の駆動を停止して前記指針を手動で修正可能とし、前記駆動再開部は、前記操作検出部で外部操作部材の第２の操作を検出した際に、前記駆動手段の駆動を再開し、前記電動修正部は、前記操作検出部で外部操作部材の第３の操作を検出した際に、前記駆動手段の駆動を制御して前記指針を修正可能とし、前記復帰制御部は、前記操作検出部で外部操作部材の第４の操作を検出した際に、前記針位置記憶手段を初期化し、前記移動量記憶部に記憶された移動量に応じて駆動手段を駆動して指針を移動することが好ましい。
【００１８】
このような本発明では、竜頭やボタンなどの外部操作部材を操作することで、各手動修正部、駆動再開部、電動修正部、復帰制御部を作動させることができるので、直感的な操作で作動させることができ、作業性を向上できる。
【００１９】
ここで、前記外部操作部材の第２の操作を検出後、第３の操作を検出する前に最初に時刻情報を受信した場合に、受信した時刻情報を前記針位置記憶手段に設定する針位置情報設定手段を備えることが好ましい。
このような針位置情報設定手段を備えていれば、指針を手動で現時刻に合わせておけば、電動修正部を用いて針位置の初期設定操作を行わなくても、指針位置と針位置記憶手段とを同期化できる。従って、指針を手動で正確に合わせておけば、電動修正操作を不要にでき、その分、操作性を向上できる。
【００２０】
また、前記外部操作部材は、竜頭と、ボタンとを備えて構成され、前記第１の操作は、竜頭を２段目まで引き出す操作であり、前記第２の操作は、２段目にある竜頭を０段目または１段目まで押し込む操作であり、前記第３の操作は、竜頭を１段目に移動してボタンを押す操作であり、前記第４の操作は、第３の操作後に竜頭を０段目に移動する操作であることが好ましい。
【００２１】
このような構成であれば、竜頭を２段目まで引き出す操作で指針の手動修正モードに移行でき、竜頭を１段目または０段目に戻すことで、指針の運針を再開できる。従って、通常のアナログクオーツ時計と同じ操作で指針の手動修正操作を行うことができ、時刻合わせ操作を誰にでも容易に行うことができる。
【００２２】
また、前記指針は、時針、分針、秒針を備え、前記駆動手段は、時針および分針を駆動する時分針モータと、秒針を駆動する秒針モータとを備え、前記ボタンは、時分針モータの駆動を操作する第１ボタンと、秒針モータの駆動を操作する第２ボタンとを備えて構成されていることが好ましい。
時分秒針は１つのモータで駆動してもよいが、２つのモータを備えていれば、電動修正時に各指針をより迅速に所定の位置に移動でき、修正時の作業性を向上できる。
【００２３】
本発明の電波修正時計の制御方法は、時刻情報を含む無線情報を受信する受信手段と、指針と、前記指針を運針させる駆動手段と、この駆動手段の駆動に連動して更新されて針位置情報が記憶される針位置記憶手段と、前記受信手段で受信した時刻情報が記憶される時刻記憶手段と、前記針位置記憶手段に記憶される針位置情報および時刻記憶手段に記憶される時刻情報に基づいて前記駆動手段を駆動する駆動制御手段と、外部操作部材とを備える電波修正時計の制御方法であって、外部操作部材の第１の操作を検出すると前記駆動手段の駆動を停止して前記指針を手動で修正可能な手動修正モードに制御し、外部操作部材の第２の操作を検出すると前記駆動手段の駆動を再開し、外部操作部材の第３の操作を検出すると前記駆動手段の駆動を制御して前記指針を修正可能な電動修正モードに制御し、電動修正モード時の指針の移動量を記憶し、外部操作部材の第４の操作を検出すると前記針位置記憶手段を初期化し、前記移動量記憶部に記憶された移動量に応じて駆動手段を駆動して指針を移動させ、指針を移動させた後、前記時刻情報を受信した際に、前記針位置記憶手段の針位置情報と受信した時刻情報との時間差に基づいて前記駆動手段を駆動して指針で表示される時刻を修正することを特徴とする。
【００２４】
このような本発明では、第１の操作を行うことで、手動修正モードにでき、指針の手動修正操作を行うことができる。このため、利用者は、従来のアナログ時計と同様の操作で指針の現時刻合わせを行うことができる。また、手動修正モード時に指針を修正した後に、第２の操作を行うことで、運針を再開できるので、時刻情報を受信しなくても、通常のクオーツ時計と同様に即座に利用できる。
【００２５】
また、第３の操作を行うことで、電動修正モードにでき、仮に、竜頭等の外部操作部材の押し込み操作などで竜頭に回転方向の力が加わるなどで指針がずれてしまった場合でも、電動修正により指針を移動できるので、指針を所定の位置、例えば、０時０分０秒の位置に正確に移動できる。そして、この際の指針の移動量を移動量記憶部に記憶しているので、第４の操作を行った際に、針位置記憶手段を初期化して指針の位置と針位置記憶手段のデータとを同期化した後、指針を元の位置に戻すことができる。従って、針位置記憶手段を初期化した後、即座に電波を受信できなくても、時計の指針を現時刻表示に戻して利用することができる。その上、指針を所定の位置に移動する操作は、モータ等の駆動手段を介して行われるので、竜頭を押し込む場合のように竜頭が回転して針ずれを起こすこともなく、正確な位置に指針を移動できる。従って、針位置記憶手段を初期化した際に、指針の位置と針位置記憶手段のデータ値とを正確に同期させることができ、その後、標準電波等の時刻情報を含む無線情報を受信した際にも、指針を正確な時刻に修正できる。
【００２６】
本発明の電波修正時計の制御プログラムは、時刻情報を含む無線情報を受信する受信手段と、指針と、前記指針を運針させる駆動手段と、この駆動手段の駆動に連動して更新されて針位置情報が記憶される針位置記憶手段と、前記受信手段で受信した時刻情報が記憶される時刻記憶手段と、前記針位置記憶手段に記憶される針位置情報および時刻記憶手段に記憶される時刻情報に基づいて前記駆動手段を駆動する駆動制御手段と、外部操作部材とを備える電波修正時計の制御プログラムであって、前記駆動制御手段を、外部操作部材の操作を検出する操作検出部と、この操作検出部で外部操作部材の第１の操作を検出すると前記駆動手段の駆動を停止して前記指針を手動で修正可能とする手動修正部と、前記操作検出部で外部操作部材の第２の操作を検出すると前記駆動手段の駆動を再開する駆動再開部と、前記操作検出部で外部操作部材の第３の操作を検出すると、前記駆動手段の駆動を制御して前記指針を修正可能とする電動修正部と、電動修正部による指針の移動量を記憶する移動量記憶部と、前記操作検出部で外部操作部材の第４の操作を検出すると前記針位置記憶手段を初期化し、前記移動量記憶部に記憶された移動量に応じて駆動手段を駆動して指針を移動させる復帰制御部と、この復帰制御部によって指針を移動させた後、前記時刻情報を受信した際に、前記針位置記憶手段の針位置情報と受信した時刻情報との時間差に基づいて前記駆動手段を駆動して指針で表示される時刻を修正する時刻修正部として機能させることを特徴とする。
【００２７】
また、本発明の記憶媒体は、前記電波修正時計の制御プログラムを記憶したコンピュータ読み取り可能な記憶媒体であることを特徴とする。
これらの発明においても、前述の電波修正時計と同様の作用効果を奏することができる。
【発明の効果】
【００２８】
以上説明したように、本発明の電波修正時計、その制御方法、制御プログラム、記憶媒体によれば、電波受信に成功しなくても時計として利用できるとともに、竜頭による時刻合わせ操作による針ずれを解消することができる。
【発明を実施するための最良の形態】
【００２９】
〔第１実施形態〕
以下、本発明の第１実施形態を図面に基づいて説明する。
図１は、第１実施形態の電波修正時計１を示す正面図であり、図２は内部構成を示すブロック図である。
本発明の電波修正時計１は、一般的な電波修正時計と同様の構成を備えるものであり、図１に示すように、時針１１、分針１２、秒針１３、文字板１４、目盛（時字、略字）１５を備えている。また、竜頭１７、第１ボタン１８、第２ボタン１９も設けられている。
【００３０】
電波修正時計１は、図２に示すように、時刻情報を含む電波（無線情報）を受信する受信手段２と、駆動制御手段である駆動制御回路部３と、指針を駆動する駆動手段４と、時刻をカウントするカウンタ部６と、電力を供給する電力供給手段７と、竜頭１７、各ボタン１８，１９を備える外部操作部材とを備えて構成されている。
【００３１】
受信手段２は、電波を受けるアンテナ２１と、コンデンサ等で構成されてアンテナ２１で受信する電波に同調させる同調回路部２２と、アンテナ２１で受けた情報を処理する受信回路２３と、受信回路２３で処理された時刻データを記憶する時刻データ記憶回路部２４とを備えて構成されている。
【００３２】
アンテナ２１は、フェライトや積層アモルファス箔で構成された磁性体コアにコイルを巻いて構成されており、必要に応じて、耐食性に優れるカチオン電着塗装等で絶縁を施したものである。
同調回路部２２は、図３に示されるように、アンテナ２１に対して並列に接続された２つのコンデンサ２２Ａ，２２Ｂを備えて構成され、一方のコンデンサ２２Ｂはスイッチ２２Ｃを介してアンテナ２１に接続されている。
そして、駆動制御回路部３から出力される周波数切替え制御信号により、前記スイッチ２２Ｃをオンまたはオフすることで、アンテナ２１で受信する電波の周波数を切り替えるように構成されている。これにより、例えば、日本国内において、送信周波数４０ｋＨｚの電波（ＪＪＹ４０ｋＨｚ）と、送信周波数６０ｋＨｚの電波（ＪＪＹ６０ｋＨｚ）との２種類の周波数の長波標準電波を切り替えて受信することができるように構成されている。
【００３３】
受信回路２３は、図３に示されるように、アンテナ２１によって受信された長波標準電波信号を増幅する増幅回路２３１と、増幅された長波標準電波信号から所望の周波数成分のみを抜き出すバンドパスフィルタ２３２と、長波標準電波信号を平滑化し復調する復調回路２３３と、増幅回路２３１のゲインコントロールを行ない長波標準電波信号の受信レベルが一定になるように制御するＡＧＣ（Automatic Gain Control）回路２３４と、復調された長波標準電波信号をデコードして出力するデコード回路２３５とを備えて構成されている。
受信回路２３で受信され信号処理された時刻データは、図２に示すように、時刻データ記憶回路部２４に出力されて記憶される。
受信回路２３は、予め設定されたスケジュールや外部入力装置８による強制受信操作等によって、駆動制御回路部３から出力される受信制御信号に基づいて時刻情報の受信を開始する。
【００３４】
駆動制御回路部３には、図２に示されるように、パルス合成回路３１からのパルス信号が入力される。パルス合成回路３１は、水晶振動子などの基準振動子３１１からの基準パルスを分周してクロックパルスを生成し、また、基準パルスからパルス幅やタイミングの異なるパルス信号を発生させる。
【００３５】
駆動制御回路部３は、一秒に一回出力され秒針を駆動させる秒駆動パルス信号ＰＳ１と、一分間に一回出力され時分針を駆動させる時分駆動パルス信号ＰＳ２とを、各秒駆動回路４１、時分駆動回路４２に出力して、指針の駆動を制御する。すなわち、各駆動回路４１，４２は、各回路４１、４２からのパルス信号によって駆動されるステッピングモータからなる秒モータ４１１，時分モータ４２１を駆動し、これにより各モータ４１１，４２１に接続された秒針１３と、分針１２および時針１１とを駆動する。従って、駆動回路４１，４２、秒モータ４１１、時分モータ４２１により、指針を駆動する駆動手段４が構成される。そして、この駆動手段４および各指針（時針１１、分針１２、秒針１３）によって時刻を表示する時刻表示手段が構成されている。なお、時刻表示手段としては、１つのモータで、時針１１、分針１２、秒針１３を駆動するものでもよい。
【００３６】
カウンタ部６は、秒をカウントする秒カウンタ回路部６１と、時分をカウントする時分カウンタ回路部６２とを備えて構成されている。
秒カウンタ回路部６１は、秒位置カウンタ６１１と、秒時刻カウンタ６１２と、一致検出回路６１３とを備えて構成されている。秒位置カウンタ６１１および秒時刻カウンタ６１２はともに６０カウント、つまり１Ｈｚの信号が入力された場合には６０秒でループするカウンタである。秒位置カウンタ６１１は、駆動制御回路部３から秒駆動回路４１に供給される駆動パルス信号（秒駆動パルス信号ＰＳ１）をカウントしている。つまり、秒針を駆動させる駆動パルス信号をカウントすることによって、秒針が示している秒針の位置をカウントしている。
秒時刻カウンタ６１２は、通常は、駆動制御回路部３から出力される１Ｈｚの基準パルス信号（クロックパルス)をカウントする。また、受信手段２で時刻データを受信した場合には、この時刻データのうちの秒データに合わせてカウンタ値が修正される。
【００３７】
同様に、時分カウンタ回路部６２は、時分位置カウンタ６２１と、時分時刻カウンタ６２２と、一致検出回路６２３とを備えて構成されている。時分位置カウンタ６２１および時分時刻カウンタ６２２はともに２４時間分の信号が入力されるとループするカウンタである。時分位置カウンタ６２１は、駆動制御回路部３から時分駆動回路４２に供給される駆動パルス信号（時分駆動パルス信号ＰＳ２）をカウントし、時針、分針が示している時分針の位置をカウントしている。
時分時刻カウンタ６２２は、通常は、駆動制御回路部３から出力される１Ｈｚのパルス（クロックパルス)をカウントする（正確には１Ｈｚを６０回計数したところで１カウントとする）。また、受信手段２で時刻データを受信した場合には、この時刻データのうちの時分データに合わせてカウンタ値が修正される。
【００３８】
従って、秒位置カウンタ６１１、時分位置カウンタ６２１により、指針の位置情報を記憶する針位置記憶手段が構成されている。また、秒時刻カウンタ６１２、時分時刻カウンタ６２２により、受信時刻情報を記憶する時刻記憶手段が構成されている。
【００３９】
各一致検出回路６１３，６２３は、各位置カウンタ６１１，６２１と各時刻カウンタ６１２，６２２とのカウント値の一致を検出し、一致しているか否かを示す検出信号を駆動制御回路部３に出力する。
駆動制御回路部３は、各一致検出回路６１３，６２３から不一致信号が入力されると、一致信号が入力されるまで各駆動パルス信号ＰＳ１，ＰＳ２を出力し続ける。このため、通常運針時は、駆動制御回路部３から１Ｈｚの基準信号によって各時刻カウンタ６１２，６２２のカウンタ値が変化して位置カウンタ６１１，６２１と不一致となると、各駆動パルス信号ＰＳ１，ＰＳ２が出力されて各指針が動くとともに、各位置カウンタ６１１，６２１が時刻カウンタ６１２，６２２と一致することになり、この動作を繰り返すことで、通常の運針制御が行われる。
また、受信した時刻データで各時刻カウンタ６１２，６２２が修正されると、そのカウンタ値に各位置カウンタ６１１，６２１のカウンタ値が一致するまで、各駆動パルス信号ＰＳ１，ＰＳ２が出力され続け、指針が早送りされて正しい時刻に修正される。
【００４０】
電力供給手段７は、自動巻発電機や太陽電池（ソーラー発電機）等によって構成された発電手段としての発電装置７１と、発電装置７１で発電された電力を蓄電する高容量二次電源７２とを備えて構成されている。高容量二次電源７２は、リチウムイオン電池のような二次電池が利用できる。なお、電力供給手段７としては、銀電池等の一次電池を用いてもよい。
【００４１】
駆動制御回路部３は、図４に示すように、操作検出部３０１と、手動修正部３０２と、駆動再開部３０３と、電動修正部３０４と、移動量記憶部３０５と、復帰制御部３０６と、時刻修正部３０７と、針位置情報設定手段３０８とを備えて構成されている。
【００４２】
操作検出部３０１は、外部操作部材の操作を検出するものである。具体的には、竜頭１７の引き出し位置（０段目、１段目、２段目）を検出する竜頭位置検出部３０１Ａと、２時位置に設けられたボタン１８が押されたことを検出する第１ボタン操作検出部３０１Ｂと、４時位置に設けられたボタン１９が押されたことを検出する第２ボタン操作検出部３０１Ｃとを備えている。
【００４３】
手動修正部３０２は、操作検出部３０１で外部操作部材の第１の操作を検出すると、駆動手段４の駆動を停止して前記指針を手動で移動可能とするものである。第１の操作は、具体的には、竜頭１７を２段目まで引き出す操作である。この操作を竜頭位置検出部３０１Ａで検出すると、手動修正部３０２は、駆動手段４を停止し、竜頭１７を手動操作で回転することで、各時針１１、分針１２、秒針１３を手動で移動できる状態（手動修正モード）に制御する。従って、利用者は、通常のアナログ時計と同様に、竜頭１７を回すことで、各指針を現時刻に容易に移動できる。
【００４４】
駆動再開部３０３は、操作検出部３０１で外部操作部材の第２の操作を検出すると、駆動手段４の駆動を再開するものである。第２の操作は、具体的には、２段目に引き出された竜頭１７を１段目あるいは０段目に押し込む操作であり、この操作を竜頭位置検出部３０１Ａで検出すると、駆動再開部３０３は、停止されていた駆動手段４の駆動を再開し、各時針１１、分針１２、秒針１３を運針させる。従って、利用者は、通常のアナログ時計と同様に、竜頭１７を回して現時刻合わせを行った後、竜頭１７を押し込むことで、各指針の運針を開始でき、時計として利用できる。
【００４５】
電動修正部３０４は、操作検出部３０１で外部操作部材の第３の操作を検出すると、駆動手段４の駆動を制御して指針を修正可能な状態（電動修正モード）に制御する。第３の操作は、具体的には、図５（Ａ）に示すように、竜頭１７を１段目に移動した後、第２ボタン１９を３秒間押し続ける操作である。但し、第３の操作の具体的な操作方法は、上述したものに限らず、実施にあたって適宜設定すればよい。
この第３の操作を竜頭位置検出部３０１Ａおよびボタン操作検出部３０１Ｂ，３０１Ｃで検出すると、電動修正部３０４は、各ボタン１８，１９の操作によって駆動手段４を駆動して各指針をモータ４１１，４２１により移動させる。
具体的には、図５（Ｂ）に示すように、２時位置にあるボタン１８を押すと、電動修正部３０４は、秒駆動回路４１を介して秒モータ４１１にドライブ信号を印加して秒針１３を移動する。同様に、図５（Ｃ）に示すように、４時位置にある第２ボタン１９を押すと、電動修正部３０４は、時分駆動回路４２を介して時分モータ４２１にドライブ信号を印加して時針１１、分針１２を移動する。この際、各ボタン１８，１９は、短く１回ずつ押すと、ドライブ信号が１パルス分ずつ出力され、各指針を微動させることができる。一方で、各ボタン１８，１９を所定時間以上長く押すと、その長さに応じた数のドライブ信号が出力されて各指針を早送りさせることができる。従って、利用者は、各ボタン１８，１９を適宜操作することで、各指針を所望の位置、例えば、０時０分０秒の位置に移動することができる。
【００４６】
移動量記憶部３０５は、電動修正部３０４による指針の移動量を記憶するメモリ（カウンタ）などで構成されている。具体的には、前記第３の操作を、前記竜頭位置検出部３０１Ａおよびボタン操作検出部３０１Ｂ，３０１Ｃで検出した後、各ボタン１８，１９の操作で各モータ４１１，４２１に印加されたドライブ信号のパルス数をカウントすることなどで、指針の移動量を検出して記憶する。
【００４７】
復帰制御部３０６は、操作検出部３０１で外部操作部材の第４の操作を検出すると針位置記憶手段である位置カウンタ６１１，６２１を初期化し、移動量記憶部３０５に記憶された移動量に応じて駆動手段４を駆動して指針を移動させるものである。第４の操作は、具体的には、図５（Ｄ）に示すように、竜頭１７が１段目に設けられて電動修正モードになった状態から竜頭１７を０段目に押し込む操作であり、この操作を竜頭位置検出部３０１Ａで検出すると、復帰制御部は、まず各位置カウンタ６１１，６２１を初期化する。従って、利用者が、各ボタン１８，１９を押すことで各指針を位置カウンタ６１１，６２１の初期値に対応する所定位置、通常は０時０分０秒の位置に移動しておけば、その時点で指針と各位置カウンタ６１１，６２１との内容が一致し、同期が取れることになる。
続いて、復帰制御部３０６は、駆動手段４を制御して、前記移動量記憶部３０５に記憶された移動量に基づいて前記指針を電動修正モードに移行する直前の位置まで移動させる。例えば、第３の操作を実行して電動修正モードに移行する直前に、各指針が１０時９分５５秒を指していたとすれば、前記電動修正モードにおいて、秒針１３は０秒の位置まで５秒分移動され、時分針は０時０分の位置まで１時間５１分ぶんだけ移動される。従って、復帰制御部３０６は、第４の操作を検出した際に、秒針１３を５秒分逆回転させるか、５５秒分正回転させて５５秒の位置まで移動する。同様に、時針１１、分針１２を１時間５１分ぶんだけ逆回転させるか、１０時間９分ぶんだけ正回転させて１０時９分の位置まで移動する。
さらに、復帰制御部３０６は、第３の操作によって電動修正モードに移行してから、各指針が元の位置に復帰するまでの作業時間を、パルス合成回路３１から入力されるパルス数に基づいてカウントし、この作業時間分だけ指針を移動させる。例えば、前記例において、針合わせ作業に５０秒かかっていたとすれば、復帰制御部３０６は、元の位置である１０時９分５５秒に５０秒を加算した位置、つまり１０時１０分４５秒の位置まで指針を移動させる。その後は、通常の運針に戻る。
【００４８】
ここで、復帰制御部３０６による指針を初期化した後の移動は、駆動パルス信号ＰＳ１，ＰＳ２を駆動回路４１，４２に出力して各モータ４１１，４２１を駆動し、前記駆動パルス信号ＰＳ１，ＰＳ２は各位置カウンタ６１１，６２１でカウントされるため、指針の位置と各位置カウンタ６１１，６２１のカウンタ値とは一致（同期）する。このため、指針が元の位置に復帰した後の通常運針時も、指針位置は各位置カウンタ６１１，６２１のカウンタ値と同期することになる。
【００４９】
時刻修正部３０７は、復帰制御部３０６によって指針を移動させた後、前記時刻情報を受信した際に、前記位置カウンタ６１１，６２１の針位置情報と受信した時刻情報との時間差に基づいて前記駆動手段４を駆動して指針で表示される時刻を修正するものである。具体的には、受信した時刻情報を各時刻カウンタ６１２，６２２に書き込んで設定した後、一致検出回路６１３，６２３により、各位置カウンタ６１１，６２１と時刻カウンタ６１２，６２２との値が一致するまで、駆動回路４１，４２に信号を送って各指針を駆動し、位置カウンタ６１１，６２１を更新するものであり、従来の電波修正時計における時刻修正部と同様の構成である。
【００５０】
針位置情報設定手段３０８は、前記手動修正部３０２で手動による針位置の現時刻合わせ操作が行われた後、電動修正部３０４を用いた針位置合わせ処理が行われないで、電波受信処理が行われた場合のみ機能する。具体的には、針位置情報設定手段３０８は、最初に受信された時刻情報を針位置記憶手段である時刻カウンタ６１２，６２２に書き込む。これにより、手動により現時刻合わせされた指針と、時刻カウンタ６１２，６２２とが同期する。従って、時刻情報を受信すれば、その時刻情報に基づいて指針を修正できる。
なお、針位置情報設定手段３０８で時刻カウンタ６１２，６２２を更新した後に、第３の操作が行われて電動修正部３０４で初期化操作が行われた場合には、時刻カウンタ６１２，６２２は初期化されて前述の処理が行われる。
【００５１】
〔電波修正時計の針合わせ操作〕
次に、本実施形態における針合わせ操作の動作について説明する。
［手動操作による針合わせ操作］
利用者は、運針されている指針が現時刻からずれている場合には、竜頭１７を２段目まで引き出す第１の操作を行って指針の修正を行う。この処理を行うため、図６に示すように、駆動制御回路部３は、まず、操作検出部３０１によって外部操作部材の第１の操作が検出されるかを判断する（ステップ１、以下ステップをＳと略す）。そして、利用者が、竜頭１７を２段目まで引き出し、この第１の操作が操作検出部３０１で検出されると、手動修正部３０２は、手動修正モードに移行する（Ｓ２）。手動修正モードでは、図７に示すように、まず、駆動制御回路部３からの駆動パルス信号ＰＳ１，ＰＳ２の出力が停止される（Ｓ１１）。このため、駆動手段４が停止され、各位置カウンタ６１１，６２１の更新も停止される。そして、操作検出部３０１は、竜頭１７が回転されたか否かを判断する（Ｓ１２）。竜頭１７を回せば、通常のアナログ時計と同様に、指針の位置が修正される（Ｓ１３）。
【００５２】
利用者は、時報等を聞きながら竜頭１７を回して指針の位置を修正した後、竜頭１７を１段目あるいは０段目に押し込む第２の操作を行って指針の修正操作を終了する。この処理を行うため、駆動制御回路部３は、操作検出部３０１を用いて外部操作部材の第２の操作が検出されるかを監視する（Ｓ１４）。
そして、操作検出部３０１において第２の操作が検出されると、駆動再開部３０３により、駆動パルス信号ＰＳ１，ＰＳ２が出力され、駆動手段４の駆動および各位置カウンタ６１１，６２１の更新が再開され、通常運針に戻る（Ｓ１５）。以上により手動修正モードが完了する。
【００５３】
また、利用者は、適宜なタイミングで電動修正操作によって指針の初期化操作を行うことができる。
このため、駆動制御回路部３は、図６に示すように、Ｓ１で第１の操作が検出されなかった場合には、操作検出部３０１によって外部操作部材の第３の操作が検出されるかを判断する（Ｓ３）。
第３の操作が検出されると、電動修正モードに移行する（Ｓ４）。
電動修正モードでは、図８に示すように、電動修正部３０４により、まず、駆動制御回路部３からの駆動パルス信号ＰＳ１，ＰＳ２の出力が停止され（Ｓ２１）、指針の電動修正が行われる。具体的には、図５（Ｂ）のように、２時位置にある第１ボタン１８を押すと（Ｓ２２）、電動修正部３０４は、秒駆動回路４１を介して秒モータ４１１にドライブ信号を印加して秒針１３を移動（修正）する（Ｓ２３）。そして、この秒針１３の移動量を、移動量記憶部３０５に記憶する（Ｓ２４）。
同様に、図５（Ｃ）のように、４時位置にある第２ボタン１９を押すと（Ｓ２５）、電動修正部３０４は、時分駆動回路４２を介して時分モータ４２１にドライブ信号を印加して時針１１、分針１２を移動し（Ｓ２６）、この時分針の移動量を、移動量記憶部３０５に記憶する（Ｓ２７）。
従って、利用者は、各ボタン１８，１９を適宜操作することで、各指針を所望の位置、例えば、０時０分０秒の位置に移動することができる。そして、電動修正部３０４による指針の移動量は、移動量記憶部３０５に記憶される。
【００５４】
次に、駆動制御回路部３は、操作検出部３０１によって外部操作部材の第４の操作が検出されるかを判断する（Ｓ２８）。
利用者が竜頭１７を押し込み、操作検出部３０１で第４の操作が検出されると、復帰制御部３０６が作動する。復帰制御部３０６は、まず、針位置記憶手段である位置カウンタ６１１，６２１を初期化する（Ｓ２９）。位置カウンタ６１１，６２１は、初期化により０時０分０秒に設定されるので、指針を０時０分０秒の位置に移動しておくことで、各指針と位置カウンタ６１１，６２１とが同期される。
さらに、復帰制御部３０６は、移動量記憶部３０５に記憶された指針の移動量に基づいて指針を元の位置に戻す（Ｓ３０）。さらに、この指針の復帰時にパルス合成回路３１から出力されるパルス信号分つまり指針の復帰時の時間分、パルス信号が出力されて指針が移動される。
その後、駆動制御回路部３からの駆動パルス信号ＰＳ１，ＰＳ２が出力され、通常の運針が行われ（Ｓ３１）、電動修正モードが終了する。
【００５５】
その後、駆動制御回路部３は、図６に示すように、標準電波の受信に成功したか否かを判断し（Ｓ５）、受信した場合には、その受信がＳ２の手動修正モードの直後、つまり、手動修正モードが実施された後、電動修正モードが実際されていない状態において、最初に標準電波を受信したか否かを判断する（Ｓ６）。
Ｓ６で手動修正直後と判断されると、針位置情報設定手段３０８が作動され、受信した時刻情報を位置カウンタ６１１，６２１に記憶し、通常運針に戻る（Ｓ７）。
一方、Ｓ６で手動修正直後でないと判断されると、時刻修正部３０７が作動され、受信した時刻情報を時刻カウンタ６１２，６２２に記憶し、さらに位置カウンタ６１１，６２１と時刻カウンタ６１２，６２２とを一致検出回路６１３，６２３で比較して一致するまで指針を移動することで現時刻に修正する（Ｓ８）。つまり、通常の電波修正時計における電波受信時の時刻修正処理が実行される（Ｓ８）。
以上のＳ１〜Ｓ８の処理は繰り返し実行され、利用者の操作に基づいて各処理が実行される。
【００５６】
このような本実施形態によれば、次の作用効果を奏することができる。
（１）指針を手動で修正できる手動修正部３０２を備えているので、指針の手動修正操作を行うことができる。このため、利用者は、従来のアナログ時計と同様の操作で指針の現時刻合わせを行うことができるため、時刻合わせ操作を誰にでも容易に行うことができる。また、駆動再開部３０３を備えているので、手動修正部３０２によって指針を修正した後に、駆動再開部３０３で運針を再開できるので、時刻情報を受信しなくても、通常のクオーツ時計と同様に即座に利用できる。
【００５７】
（２）電動修正部３０４を備えているので、仮に、竜頭１７等の外部操作部材の押し込み操作などで竜頭１７に回転方向の力が加わるなどで指針がずれてしまった場合でも、電動修正部３０４で指針を移動できるので、指針を所定の位置、例えば、０時０分０秒の位置に正確に移動できる。従って、手動修正部３０２において、正しい時刻に合わせていなくても電動修正部３０４により初期位置合わせを正確に行うことで、電波受信を行って時刻修正を行うことで、正確な時刻表示を行うことができる。
【００５８】
（３）また、電動修正部３０４による指針の移動量を移動量記憶部３０５に記憶しているので、復帰制御部３０６により、時刻カウンタ６１２，６２２を初期化して指針の位置と時刻カウンタ６１２，６２２のデータとを同期化した後、指針を元の位置に戻すことができる。従って、時刻カウンタ６１２，６２２を初期化した後、即座に電波を受信できなくても、時計の指針を現時刻表示に戻して利用することができる。
その上、指針を所定の位置に移動する操作は、駆動手段４を介して行われるので、竜頭１７を押し込む場合のように竜頭１７が回転して針ずれを起こすこともなく、正確な位置に指針を移動できる。従って、位置カウンタ６１１，６２１を初期化した際に、指針の位置と位置カウンタ６１１，６２１のデータ値とを正確に同期させることができ、その後、標準電波等の時刻情報を含む無線情報を受信した際にも、指針を正確な時刻に修正できる。
【００５９】
（４）針位置情報設定手段３０８を備えているので、指針を手動で現時刻に合わせておけば、電動修正部３０４を用いて針位置の初期設定操作を行わなくても、指針位置と位置カウンタ６１１，６２１とを同期化できる。従って、指針を手動で正確に合わせておけば、電動修正操作を不要にでき、その分、操作性を向上できる。
【００６０】
なお、本発明は前記実施形態に限定されるものではなく、本発明の目的を達成できる範囲での変形、改良などは、本発明に含まれるものである。
すなわち、本発明の電波修正時計１としては、時分針のみを有するものでもよいし、カレンダ機能を有したものなどいずれの時計でもよい。さらに、電波修正時計１としては、腕時計や懐中時計などの携帯時計、掛時計や置時計などの設置型時計など、様々な時計に適用できる。
そして、駆動源としては、ボタン電池にて駆動させるものでもよいし、商用交流電源を利用するものでもよい。また、回転錘、太陽電池、体温等を利用した各種発電機を利用したものでもよい。
【００６１】
また、駆動制御回路部３の各手段は、各種論理素子などのハードウェアで構成されたものでもよいし、ＣＰＵ（中央処理装置）、メモリ（記憶装置）などを備えたコンピュータを電波修正時計１内に設け、このコンピュータに所定のプログラムやデータ（各記憶部に記憶されたデータ）を組み込んで駆動制御回路部３等の各回路や手段を実現させるように構成したものでもよい。
例えば、電波修正時計１内にＣＰＵやメモリ（ＲＯＭ，ＲＡＭ等）を配置してコンピュータとして機能できるように構成し、このメモリに所定の制御プログラムやデータをインターネットなどの通信手段や、ＣＤ−ＲＯＭ、メモリカードなどの記録媒体を介してインストールし、このインストールされたプログラムでＣＰＵなどを動作させ、竜頭等の操作により適宜時刻を修正させればよい。
なお、電波修正時計１に所定のプログラムなどをインストールするには、その電波修正時計１にメモリカードやＣＤ−ＲＯＭなどを直接差し込んで実施したり、これらの記憶媒体を読み取る機器を外付けで電波修正時計１に接続したりしてもよい。さらには、ＬＡＮケーブル、電話線などを電波修正時計１に接続して通信によってプログラムなどを供給しインストールしてもよく、アンテナ２１を備えていることから無線によってプログラムを供給してインストールするなどしてもよい。
【００６２】
このような記録媒体やインターネットなどの通信手段で提供される制御プログラムなどを電波修正時計１に組み込めば、プログラムの変更のみで前記各発明の機能を実現できるため、工場出荷時あるいは利用者が希望する制御プログラムを選択して組み込むこともできる。この場合、プログラムの変更のみで制御形式の異なる各種の電波修正時計１を製造できるため、部品の共通化などが図れ、バリエーション展開時の製造コストを大幅に低減できる。
【００６３】
電波修正時計１としての機能、すなわち計時手段、受信手段２、駆動信号発生回路、時刻表示駆動回路、時刻表示手段などの各構成は、前記実施形態のものに限らず、従来から知られている電波修正時計の各手段が利用できる。また、受信対象局の数、種類や具体的な国（地域）などは、実施にあたって適宜設定すればよい。
【００６４】
また、外部操作部材としては、竜頭１７およびボタン１８，１９に限らず、利用者が操作可能なものであればよい。
さらに、第１から第４の操作は、前記実施形態に記載されたものに限らない。但し、前記第１および第２の操作を、前記実施形態のように、竜頭１７の引き出し操作および押し込み操作にすれば、通常のアナログ時計と同様の針修正操作にできて、利用者にとって扱いやすい利点がある。
【００６５】
また、前記実施形態では、針位置情報設定手段３０８を設け、手動修正モード後、電動修正モードを実行しない間に電波受信をした場合にも対応できるように構成したが、この針位置情報設定手段３０８は必ずしも必要ではない。すなわち、手動修正モード後に標準電波を受信しても無視し、電動修正モードを実行後に電波を受信するように制御してもよい。
また、手動修正モードを実施せずに、電動修正モードを直接実施するようにしてもよい。
【００６６】
その他、本発明の実施の際の具体的な構造および手順は、本発明の目的を達成できる範囲で他の構造などに適宜変更できる。
【図面の簡単な説明】
【００６７】
【図１】本発明の実施形態における電波修正時計を示す正面図。
【図２】前記実施形態における電波修正時計の内部構成を示すブロック図。
【図３】前記実施形態の受信回路の構成を示すブロック図。
【図４】前記実施形態の駆動制御回路部の構成を示すブロック図。
【図５】外部操作部材を操作した場合の指針の動作を説明する図。
【図６】本実施形態の制御動作を示すフローチャート。
【図７】手動修正モードでの動作を示すフローチャート。
【図８】電動修正モードでの動作を示すフローチャート。
【符号の説明】
【００６８】
１…電波修正時計、２…受信手段、３…駆動制御回路部、４…駆動手段、６…カウンタ部、７…電力供給手段、８…外部入力装置、１１…時針、１２…分針、１３…秒針、１７…竜頭、１８…第１ボタン、１９…第２ボタン、２１…アンテナ、２２…同調回路部、２３…受信回路、２４…時刻データ記憶回路部、３１…パルス合成回路、４１…秒駆動回路、４２…時分駆動回路、６１…秒カウンタ回路部、６２…時分カウンタ回路部、７１…発電装置、３０１…操作検出部、３０１Ａ…竜頭位置検出部、３０１Ｂ…第１ボタン操作検出部、３０１Ｃ…第２ボタン操作検出部、３０２…手動修正部、３０３…駆動再開部、３０４…電動修正部、３０５…移動量記憶部、３０６…復帰制御部、３０７…時刻修正部、３０８…針位置情報設定手段、４１１…秒モータ、４２１…時分モータ、６１１…秒位置カウンタ、６１２…秒時刻カウンタ、６１３，６２３…一致検出回路、６２１…時分位置カウンタ、６２２…時分時刻カウンタ、ＰＳ１…秒駆動パルス信号、ＰＳ２…時分駆動パルス信号。
【図１】
2005300192.tif 000003
【図２】
2005300192.tif 000004
【図３】
2005300192.tif 000005
【図４】
2005300192.tif 000006
【図５】
2005300192.tif 000007
【図６】
2005300192.tif 000008
【図７】
2005300192.tif 000009
【図８】
2005300192.tif 000010